(57)【特許請求の範囲】
【請求項１】
戸袋と、
前記戸袋に進退自在に取り付けられたドアと、
前記ドアに設けられ、画面に設けられた画素が光を発することで前記画面に画像を表示する画像表示装置と、
を備え、
前記ドアは、枠体と、該枠体に設けられ、透明な板状部材で形成された支持板と、該支持板の、前記枠体から離れた部分に設けられ、前記画像表示装置の、前記画面と反対側にある背面部が嵌合する嵌合部材と、前記枠体に設けられ、前記画像表示装置の画面側で前記画面を覆う透明板と、を有する、
ホームドア。
【請求項２】
前記透明板と前記支持板とは、前記画像表示装置を挟持する、
請求項１に記載のホームドア。
【請求項３】
前記枠体と前記画像表示装置との間に隙間が設けられた、
請求項１又は２に記載のホームドア。
【請求項４】
前記画像表示装置は、前記背面部に、前記枠体に接触する放熱板を有する、
請求項１から３のいずれか１項に記載のホームドア。
【請求項５】
前記枠体は、前記画面に表示する画像を出力する表示回路を有する、
請求項１から４のいずれか１項に記載のホームドア。
【請求項６】
前記枠体は、前記透明板の端部に接続され、前記透明板を回転可能に保持する蝶番を有する、
請求項１から５のいずれか１項に記載のホームドア。
【請求項７】
前記枠体は、前記透明板を前記画面と平行な方向へスライド可能に保持するレール部を有する、
請求項１から６のいずれか１項に記載のホームドア。
【発明の詳細な説明】
【技術分野】
【０００１】
本発明はホームドアに関する。
【背景技術】
【０００２】
鉄道やバスの駅のホームに設置されるホームドアには、ドアに画像表示装置が設けられたものがある。
【０００３】
例えば、特許文献１には、ドアを貫通する開口に透過型液晶ディスプレイ装置が嵌められたホームドアが開示されている。特許文献１のホームドアは、透過型液晶ディスプレイ装置の背面から、周囲の光がドアの開口を通って入射する。この光が透過型ディスプレイ装置の画面を透過することで、透過型ディスプレイ装置の画面に表示された列車の運行状況を示す文字画像が乗客に視認される。
【先行技術文献】
【特許文献】
【０００４】
【特許文献１】特開２０１５−２０６８３号公報
【発明の概要】
【発明が解決しようとする課題】
【０００５】
特許文献１のホームドアは、透過型ディスプレイ装置の背面から入射する周囲の光を利用して、表示画像を乗客に視認させている。そのため、画面の画像が見えにくいことがある。例えば、ホームドアが地下鉄のホームに設置された場合に、レール側が暗いため、透過型ディスプレイ装置の画面の画像が見えにくいことがある。また、ホームドアが地上にある駅に設置された場合でも、同様のことが夜間に起こることがある。
【０００６】
本発明は上記の課題を解決するためになされたもので、表示画像が見えやすいホームドアを提供することを目的とする。
【課題を解決するための手段】
【０００７】
上記の目的を達成するため、本発明に係るホームドアは、戸袋と、戸袋に進退自在に取り付けられたドアと、ドアに設けられ、画面に設けられた画素が光を発することで画面に画像を表示する画像表示装置と、を備える。ドアは、枠体と、枠体に設けられ、透明な板状部材で形成された支持板と、支持板の、枠体から離れた部分に設けられ、画像表示装置の、画面と反対側にある背面部が嵌合する嵌合部材と、枠体に設けられ、画像表示装置の画面側で画面を覆う透明板と、を有する。
【発明の効果】
【０００８】
本発明では、画像表示装置が、画面に設けられた画素が光を発することで画面に画像を表示するので、ホームドアが暗い場所に設置された場合であっても、画像表示装置の画面に表示された画像が見えやすい。
【図面の簡単な説明】
【０００９】
【図１】本発明の実施の形態１に係るホームドアを示す正面図である。
【図２】ホームドアの支持板、ディスプレイ装置、および透明板を示す斜視図である。
【図３】ホームドアの枠体と枠体に嵌められるディスプレイ装置を示す分解斜視図である。
【図４】図１におけるＡ−Ａ線の断面図である。
【図５】実施の形態２に係るホームドアの枠体部分を示す斜視図である。
【図６】枠体部分を示す断面図である。
【図７】実施の形態３に係るホームドアの枠体部分を示す断面図である。
【図８】枠体部分を示す斜視図である。
【図９】実施の形態４に係るホームドアの枠体部分を示す斜視図である。
【図１０】枠体部分を示す断面図である。
【図１１】実施の形態５に係るホームドアの枠体部分を示す斜視図である。
【図１２】透明板で覆った場合の枠体部分を示す斜視図である。
【図１３】透明板をスライドさせた場合の枠体部分を示す斜視図である。
【図１４】枠体の変形例を示す断面図である。
【図１５】放熱板の変形例を示す断面図である。
【発明を実施するための形態】
【００１０】
以下、本発明の実施の形態に係るホームドアについて図面を参照して詳細に説明する。なお図中、同一又は同等の部分には同一の符号を付す。
【００１１】
（実施の形態１）
実施の形態１に係るホームドアは、駅のホームにいる乗客に対して列車の運行状況を示す文字画像を表示するディスプレイ装置が設けられたドアである。以下に図１〜図４を参照してホームドアの構成を説明する。
【００１２】
ホームドア１は、図１に示すように、ホーム２００に設けられた戸袋１０と、戸袋１０の右端部、左端部に進退自在に取り付けられたドア２０Ａ、２０Ｂと、ドア２０Ａ、２０Ｂに嵌められたディスプレイ装置３０Ａ、３０Ｂとで、構成されている。
【００１３】
戸袋１０は、ドア２０Ａ、２０Ｂを進退自在に駆動する駆動機構１１Ａ、１１Ｂと、ドア２０Ａ、２０Ｂが進退した場合にドア２０Ａ、２０Ｂを案内する、図示しない案内部材と、を備えている。
【００１４】
駆動機構１１Ａ、１１Ｂは、駆動プーリ１２Ａ、１２Ｂと、図示しない従動プーリと、駆動プーリ１２Ａ、１２Ｂと従動プーリとに掛け渡されたタイミングベルト１３Ａ、１３Ｂと、タイミングベルト１３Ａ、１３Ｂとドア２０Ａ、２０Ｂと連結する、図示しないベルトクランプと、で構成されている。駆動機構１１Ａ、１１Ｂでは、駆動プーリ１２Ａ、１２Ｂが図示しないモータによって回転駆動されることで、タイミングベルト１３Ａ、１３Ｂおよびベルトクランプを介してドア２０Ａ、２０Ｂを進退させる。
【００１５】
案内部材は、ドア２０Ａ、２０Ｂを支持して移動させるレールで構成されている。案内部材に沿ってドア２０Ａ、２０Ｂが進退する。
【００１６】
ドア２０Ａ、２０Ｂは、戸袋１０から進み出た場合に、ホーム２００の乗客通路を遮断して乗客を保護する板状の部材である。ドア２０Ａ、２０Ｂには板面部を貫通する開口が設けられている。この開口には、ディスプレイ装置３０Ａ、３０Ｂが嵌められた枠体２３Ａ、２３Ｂを有している。枠体２３Ａ、２３Ｂは、ドア２０Ａ、２０Ｂのレールと反対側に位置する板面部に、ディスプレイ装置３０Ａ、３０Ｂの画面３１Ａ、３１Ｂを露出させている。
【００１７】
ここで、ディスプレイ装置３０Ａ、３０Ｂには、長方形の画面３１Ａ、３１Ｂを有するものが使用されている。そして、ドア２０Ａとドア２０Ｂでは、ディスプレイ装置３０Ａの画面３１Ａが横長、ディスプレイ装置３０Ｂの画面３１Ｂが縦長となるように配置されている。ドア２０Ａとドア２０Ｂでは、ディスプレイ装置３０Ａ、３０Ｂの配置が異なるだけで、その構成は同じである。以下、ドア２０Ａ、ディスプレイ装置３０Ａの構成を説明する。
【００１８】
ディスプレイ装置３０Ａは、発光源である、図示しないバックライトと、バックライトの光が透過することで、画素が光を発して画像を表示する画面３１Ａと、を備えるセグメント方式の液晶ディスプレイで構成されている。ディスプレイ装置３０Ａは、図２に示す配線３２によって戸袋１０内に設けられた画像配信回路と接続され、画像配信回路が出力する画像を画面３１Ａに表示する。例えば、ディスプレイ装置３０Ａは、ホームドア１の状態、列車の行き先、列車の運行状況の文字画像を表示する。
【００１９】
ディスプレイ装置３０Ａに乗客や乗客の荷物が衝突した場合に、ディスプレイ装置３０Ａが破損するおそれがある。そこで、ディスプレイ装置３０Ａは、図２に示すように、透明板２１と支持板２２との間に配置されている。
【００２０】
透明板２１は、板面がディスプレイ装置３０Ａの画面３１Ａの平行な断面形状と同じ形状に形成されている。透明板２１は、ディスプレイ装置３０Ａの画面３１Ａ側に配置されて、画面３１Ａを保護する。また、透明板２１は、乗客や乗客の荷物等が衝突しても破損しないように、高い弾性率、剛性率を示す強化ガラスで構成されている。透明板２１の強化ガラスは、画面３１Ａに表示された画像を乗客が視認できるように、可視光に関して透明である。
【００２１】
支持板２２は、ホームドア１の部品を共通化して製造を容易にするため、透明板２１と同じ強化ガラスで構成されている。その形状は透明板２１と同じである。
【００２２】
支持板２２は、図３および図４に示すように、ディスプレイ装置３０Ａの画面３１Ａ側と反対側である背面に配置され、透明板２１とともにディスプレイ装置３０Ａを挟み込んでいる。そして、その状態で、支持板２２、透明板２１およびディスプレイ装置３０Ａは、枠体２３Ａの内周壁部に形成された溝部２４に嵌められる。これにより、支持板２２と透明板２１は、ディスプレイ装置３０Ａを挟持している。
【００２３】
以上のように、実施の形態１に係るホームドア１は、バックライトの光が透過することで、画素が光を発して画像を表示する画面３１Ａを有するディスプレイ装置３０Ａを備えている。そのため、ホームドア１が設置されたホーム２００が暗い場合でも、画面３１Ａ、３１Ｂに表示された画像が見えやすい。
【００２４】
ディスプレイ装置３０Ａは、透明板２１と支持板２２との間に配置され、ドア２０Ａの枠体２３Ａに嵌められている。そのため、ディスプレイ装置３０Ａは、乗客や乗客の荷物等が衝突しても破損しにくい。また、ディスプレイ装置３０Ａは、レールからの粉塵や列車に付着した水滴がホームドア１に飛散した場合でも、ディスプレイ装置３０Ａ内に粉塵が進入することがない。従って、ホームドア１では、ディスプレイ装置３０Ａが故障しにくく、列車の行き先、列車の運行状況等の文字画像を安定して乗客に示すことができる。
【００２５】
（実施の形態２）
実施の形態２に係るホームドア１では、枠体２３Ａとディスプレイ装置３０Ａとの間に、隙間Ｓが設けられている。以下に、図５および図６を参照して実施の形態２に係るホームドア１の構成を説明する。実施の形態２では、実施の形態１と異なる構成について説明する。
【００２６】
ディスプレイ装置３０Ａには、図５に示すように、枠体２３Ａよりも十分に小さく、枠体２３Ａの内壁との間に隙間Ｓが生じる筐体３３を有するものが使用されている。
【００２７】
一方、支持板２２のディスプレイ装置３０Ａ側の板面には、図６に示すように、ディスプレイ装置３０Ａの筐体３３の画面３１Ａ反対側の背面部が嵌合する嵌合部材２５が設けられている。ディスプレイ装置３０Ａは、嵌合部材２５によって、枠体２３Ａの枠内の中央に配置されている。ディスプレイ装置３０Ａは、透明板２１と支持板２２とによって挟持されている。
【００２８】
透明板２１と支持板２２の板面は、枠体２３Ａの正面または背面側の外形と同じ大きさに形成されている。透明板２１と支持板２２は、枠体２３Ａの上面部と下面部に設けられた固定金具２６によって枠体２３Ａに固定されている。
【００２９】
透明板２１と支持板２２とは、実施の形態１と同様に、可視光に関して透明な強化ガラスで構成されている。そのため、透明板２１と支持板２２では、枠体２３Ａとディスプレイ装置３０Ａとの間の隙間Ｓから、ドア２０Ａのレール側の様子を視認することができる。
【００３０】
以上のように、実施の形態２に係るホームドア１は、枠体２３Ａとディスプレイ装置３０Ａとの間に隙間Ｓが設けられている。そして、透明板２１と支持板２２を介して、ドア２０Ａのレール側の様子を視認することができる。例えば、停車した列車の乗降用ドアの開閉や降雨の有無等を確認することができる。また、隙間Ｓからレール側に乗客が残っていないか確認することができる。
【００３１】
また、枠体２３Ａとディスプレイ装置３０Ａの間に隙間Ｓが設けられているので、ディスプレイ装置３０Ａのバックライトから発生する熱が逃げやすい。実施の形態２によれば、ディスプレイ装置３０Ａの熱を効率よく放熱することができる。
【００３２】
（実施の形態３）
実施の形態３に係るホームドア１は、ディスプレイ装置３０Ａに放熱板２７が設けられている。以下に、図７および図８を参照して実施の形態３に係るホームドア１の構成を説明する。実施の形態３では、実施の形態１および２と異なる構成について説明する。
【００３３】
放熱板２７は、図７に示すように、透明板２１と支持板２２との間において、ディスプレイ装置３０Ａの背面部に接するように設けられている。放熱板２７は、熱伝導性が高い物質、例えば、金属材料であるアルミニウム、アルミニウム合金から形成されている。放熱板２７には、ディスプレイ装置３０Ａの背面部に設けられたバックライトの熱が伝導する。
【００３４】
放熱板２７は、固定金具２８によって枠体２３Ａに固定され、枠体２３Ａと接触している。そして、図７および図８に示すように、ディスプレイ装置３０Ａの筐体３３を枠体２３Ａの内壁と隣接させている。放熱板２７は、ディスプレイ装置３０Ａのバックライトから伝導した熱を枠体２３Ａに放熱する。
【００３５】
以上のように、実施の形態３に係るホームドア１では、ディスプレイ装置３０Ａの背面部に放熱板２７が設けられている。そのため、ディスプレイ装置３０Ａのバックライトで発生する熱が逃げやすい。実施の形態３によれば、ディスプレイ装置３０Ａが加熱して故障することを防止することができる。
【００３６】
（実施の形態４）
実施の形態４に係るホームドア１では、ディスプレイ装置３０Ａの画面３１Ａを駆動する駆動回路３４が枠体２３Ａに設けられている。図９および図１０を参照して実施の形態４に係るホームドア１の構成を説明する。実施の形態４では、実施の形態１から３と異なる構成について説明する。
【００３７】
枠体２３Ａには、図９に示すように、枠の柱状部に凹部２３１が形成されている。凹部２３１には、ディスプレイ装置３０Ａの画面３１Ａを駆動するための駆動回路３４が収容されている。凹部２３１には、駆動回路３４を保護するため、板状部材が被されている。
【００３８】
ディスプレイ装置３０Ａは、枠体２３Ａの凹部２３１と隣合うように配置されている。そのため、ディスプレイ装置３０Ａは駆動回路３４と近接している。また、ディスプレイ装置３０Ａは、図示しない入力端子と駆動回路３４の図示しない出力端子との距離が短くなるように配置されている。その結果、ディスプレイ装置３０Ａは、駆動回路３４と接続する配線３２が短い。
【００３９】
以上のように、実施の形態４に係るホームドア１では、ディスプレイ装置３０Ａと駆動回路３４と接続する配線３２が短い。一般に、駆動回路３４が出力する画像信号は高周波信号であることが多い。そのため、ノイズの影響を受けやすい。しかし、ディスプレイ装置３０Ａでは、配線３２の長さが短いため、駆動回路３４が出力する画像信号がノイズの影響を受けにくい。
【００４０】
一般に、ディスプレイ装置３０Ａには駆動回路３４が設けられている。しかし、実施の形態４では、駆動回路３４が枠体２３Ａの凹部２３１に収容されている。そのため、ディスプレイ装置３０Ａの部品点数を少なくして、より小型にすることができる。例えば、図１０に示すように、ディスプレイ装置３０Ａを薄型化することができる。
【００４１】
駆動回路３４が枠体２３Ａの凹部２３１に収容されているため、駆動回路３４で発生する熱を枠体２３Ａに放熱させることが容易である。また、ディスプレイ装置３０Ａに日光が当たった場合、駆動回路３４が枠体２３Ａの凹部２３１に収容されていることから、日光の熱の影響を受けにくい。
【００４２】
なお、駆動回路３４は、枠体２３Ａに限らず、ドア２０Ａそれ自体に設けられてもよい。例えば、駆動回路３４は、ドア２０Ａの戸尻部分に設けられてもよい。
【００４３】
（実施の形態５）
実施の形態５に係るホームドア１では、透明板２１がディスプレイ装置３０Ａの画面３１Ａの正面で扉状に開閉する。図１１から図１４を参照して実施の形態５に係るホームドア１の構成を説明する。実施の形態５では、実施の形態１から４と異なる構成について説明する。
【００４４】
透明板２１は、左側端部が枠体２３Ａの柱状部に設けられた蝶番２１１、２１２によって保持されている。透明板２１は、蝶番２１１、２１２の軸部を中心にして回転可能である。これにより、透明板２１を開き扉状に開閉して、ディスプレイ装置３０Ａの画面３１Ａの正面を開放したり遮蔽したりすることができる。
【００４５】
一方、支持板２２は、枠体２３Ａに固定されている。実施の形態５では、透明板２１が開き扉状に開閉するため、ディスプレイ装置３０Ａを透明板２１と支持板２２とで挟持することができない。そこで、支持板２２には、ディスプレイ装置３０Ａがネジ２２１で固定されている。
【００４６】
以上のように、実施の形態５に係るホームドア１は、透明板２１が枠体２３Ａに設けられた蝶番２１１、２１２によって保持されている。そのため、枠体２３Ａでは、透明板２１を、開き扉状に動作させて、ディスプレイ装置３０Ａの画面３１Ａの正面を開放して点検、清掃作業をすることができる。
【００４７】
なお、透明板２１は、図１２〜図１４に示すように、枠体２３Ａに設けられたレール溝２１３、２１４に沿ってスライド可能に設けられてもよい。この場合、レール溝２１３、２１４は、溝がディスプレイ装置３０Ａの表示面に平行かつ、水平方向に延びるように設けられるとよい。透明板２１をディスプレイ装置３０Ａの表示面に平行かつ、水平方向にスライドさせて、点検、清掃作業をすることができる。
【００４８】
以上、本発明の実施の形態を説明したが、本発明は上記の実施の形態に限定されるものではない。実施の形態１〜５では、ドア２０Ａが左右方向へスライドしていた。しかし、本発明はこれに限定されない。本発明では、ドア２０Ａはディスプレイ装置３０Ａが設けられていればよい。従って、ドア２０Ａが上下方向へスライドしてもよい。
【００４９】
また、実施の形態１〜５では、戸袋１０の左右に、ドア２０Ａとドア２０Ｂとが設けられていた。しかし、上述したように、本発明では、ドア２０Ａにディスプレイ装置３０Ａが設けられていればよい。そのため、ホームドア１には、ドア２０Ａ、ドア２０Ｂのうち１つだけが設けられていてもよい。
【００５０】
実施の形態１〜５では、ディスプレイ装置３０Ａがセグメント方式の液晶パネルであった。しかし、本発明はこれに限定されない。本発明では、ディスプレイ装置３０Ａは、画面に設けられた画素が光を発することで画面に画像を表示する画像表示装置であればよい。ディスプレイ装置３０Ａは、バックライトを備える透過型液晶ディスプレイ装置のほか、例えば、ＥＬパネル、ＬＥＤパネルの自発光ディスプレイ装置で構成されてもよい。
【００５１】
実施の形態１〜５では、ホームドア１が透明板２１と支持板２２とを備えていた。しかし、本発明は、これに限定されない。本発明ではホームドア１が透明板２１や支持板２２を備えていなくてもよい。例えば、ディスプレイ装置３０Ａが枠体２３Ａに直接固定された場合、ホームドア１は透明板２１や支持板２２を備えていなくてもよい。
【００５２】
ホームドア１は透明板２１や支持板２２を備えない場合、ディスプレイ装置３０Ａが防水性、防塵性を有するとよい。例えば、ディスプレイ装置３０Ａの画面３１Ａに保護フィルムが設けられてもよい。
【００５３】
実施の形態１〜５では、透明板２１と支持板２２とが透明なガラス板で構成されていた。しかし、本発明はこれに限定されない。本発明では、ホームドア１が透明板２１を備える場合、透明板２１は、ディスプレイ装置３０Ａの画面３１Ａ側で、画面３１Ａを覆う透明板であるとよい。また、ホームドア１が支持板２２を備える場合、支持板２２は、ディスプレイ装置３０Ａの画面３１Ａと反対側である背面部を支持する板であるとよい。
【００５４】
透明板２１は、アクリル樹脂、エポキシ樹脂等の透明な樹脂材料で形成されてもよい。このような部材であれば、ホームドア１のドア２０Ａ、２０Ｂの厚みを薄くしたまま、ディスプレイ装置３０Ａの画面３１Ａの視認性を維持することができる。
【００５５】
透明板２１は、可視光に対して透明であればよい。そのため、透明板２１は、赤外線や紫外線を遮蔽する光学部材を備えていてもよい。例えば、赤外線遮蔽フィルムや紫外線カットフィルタを備えていてもよい。そのような部材が設けられることにより、直射日光によってディスプレイ装置３０Ａが熱輻射で加熱されたり、紫外線によってディスプレイ装置３０Ａが劣化したりすることを防止することができる。
【００５６】
支持板２２は、上述した透明板２１と同様に、透明な樹脂材料で形成されてもよいし、光学部材が設けられてもよい。
【００５７】
支持板２２は、可視光に対して不透明であってもよい。例えば、支持板２２は、実施の形態３で説明した放熱板２７と同様に、アルミニウム合金で形成されてもよい。そして、支持板２２が放熱板２７として使用されてもよい。この場合、支持板２２は、枠体２３Ａに固定されるとよい。また、支持板２２は、板面がディスプレイ装置３０Ａの筐体３３の背面側の大きさよりも大きく形成されるとよい。支持板２２が日光の赤外線を反射して、日光からディスプレイ装置３０Ａへ伝わる熱輻射を遮ることができる。これにより、ディスプレイ装置３０Ａの動作を安定させることができる。
【００５８】
支持板２２は、上述したように、ディスプレイ装置３０Ａを支持するものであればよいので、板面が枠体２３Ａの外形と同じ形状に形成されていなくてもよい。例えば、図１５に示すように、支持板２２が開口２５０を有していてもよい。この場合に、開口２５０から放熱板２７が露出してもよい。放熱板２７が外気に触れるため、放熱板２７の放熱性をより高めることができる。
【００５９】
実施形態１〜５では、透明板２１と支持板２２とが枠体２３Ａに嵌め込まれるか、または、枠体２３Ａの前面または背面に固定され、若しくは取り外し可能であった。このように、本発明では、透明板２１と支持板２２とは、枠体２３Ａ内に配置されてもよいし、枠体２３Ａ外に配置されてもよい。
【００６０】
上述した画像表示装置には表示画像を表示部に出力する制御部を画像表示装置の内部または別に設けられており、これらの制御部が複数の画像表示装置を制御するための中央制御装置と通信できる構成であってもよい。例えば「扉が開きます」などの定型的な表示などは、中央制御装置から送信される文章を識別するためのコード番号を制御部が受信することで、制御部内の記憶装置に格納してある文章のキャラクターデータに従って表示部に表示されてもよい。また画像などの大きなデータや、日々変更されるような例えば宣伝用の画像表示データは、例えば夜間の電車の運行時間をさけて各制御部に通信で配信されるようなシステムで送受信されてもよい。このように構成することで、頻繁に使う表示は制御部に記憶させ、コード番号の通信だけで容易に表示させることができる。そのため、通信負荷が少なくて済む。また画像などの大きなデータの配信を夜間に行えば通信によるホームドア１での運行障害を回避できる。また通常の広告媒体のように人力でポスターを張り替えたりすることなく、宣伝画像を入れ替えることができる。
【符号の説明】
【００６１】
１  ホームドア、１０  戸袋、１１Ａ、１１Ｂ  駆動機構、１２Ａ、１２Ｂ  駆動プーリ、１３Ａ、１３Ｂ  タイミングベルト、２０Ａ、２０Ｂ  ドア、２１  透明板、２２  支持板、２３Ａ、２３Ｂ  枠体、２４  溝部、２５  嵌合部材、２６  固定金具、２７  放熱板、２８  固定金具、３０Ａ、３０Ｂ  ディスプレイ装置、３１Ａ、３１Ｂ  画面、３２  配線、３３  筐体、３４  駆動回路、２００  ホーム、２１１、２１２  蝶番、２１３、２１４  レール溝、２２１  ネジ、２３１  凹部、２５０  開口、Ｓ  隙間
【図１】
0006678469.tif 000002
【図２】
0006678469.tif 000003
【図３】
0006678469.tif 000004
【図４】
0006678469.tif 000005
【図５】
0006678469.tif 000006
【図６】
0006678469.tif 000007
【図７】
0006678469.tif 000008
【図８】
0006678469.tif 000009
【図９】
0006678469.tif 000010
【図１０】
0006678469.tif 000011
【図１１】
0006678469.tif 000012
【図１２】
0006678469.tif 000013
【図１３】
0006678469.tif 000014
【図１４】
0006678469.tif 000015
【図１５】
0006678469.tif 000016